(57)【要約】【課題】中央部近傍を押し開くような不正行為を防止することができる蝶番を提供することを目的とする。【解決手段】この蝶番は、ゲーム機の開閉可能な前扉２１と本体２０間に取り付けられ、縦長の可動部材１と固定部材１１とからなる着脱形の蝶番である。可動部材１の基枠体２の上部、下部及び中点近傍に、各々軸受孔３ｂ，４ｂ、５ｂを持つ軸受部材３、４、５が軸心位置を１本の軸線上に一致させて固定される。固定部材１１の取付板部１２における上部、下部及び中点近傍の縁部に、各々巻付部１３ａ，１４ａ，１５ａにピン１６，１７，１８を挿入・固定した軸保持部１３，１４、１５が、軸心位置を１本の軸線上に一致させて固定される。【選択図】    図３
2009281101.tif 000002
【特許請求の範囲】
【請求項１】
開閉可能な扉と本体間に取り付けられ、縦長の第一部材と第二部材とからなる着脱形の蝶番であって、
該第一部材の基枠体の上部と下部に、軸受部に軸受孔を有する軸受部材が該軸受孔の軸心位置を１本の軸線上に一致させて固定され、該第二部材の取付板部における上部と下部の縁部に、各々巻付部にピンを挿入・固定した軸保持部が軸心位置を１本の軸線上に一致させて設けられた蝶番において、
該第一部材の基枠体の上下縦方向の中点近傍に、軸受部に軸受孔を有する軸受部材が軸受孔の軸心位置を前記１本の軸線上に一致させて固定され、該第二部材の取付板部における上下縦方向の中点近傍に、巻付部にピンを挿入・固定した軸保持部が軸心位置を前記１本の軸線上に一致させて設けられ、該第一部材と第二部材が、１本の軸線上に配置された上部、下部及び中点近傍の３本のピンを、対応した前記各軸受部に嵌合させて組み付けられることを特徴とする蝶番。
【請求項２】
前記第一部材の基枠体は横断面を略コ字状としたチャンネル材状に形成され、前記基枠体の上部、下部及び中点近傍の底壁の定位置に開口部が形成され、前記軸受部に軸受孔を有する軸受部材が、該開口部に嵌め込むように固定されたことを特徴とする請求項１記載の蝶番。
【請求項３】
前記軸受部材は、帯状の金属板を直角に曲折して前記第一部材の基枠体の底壁に直角な軸受部を形成し、該軸受部に軸受孔が該基枠体の一方の側壁側に偏倚して設けられたことを特徴とする請求項２記載の蝶番。
【請求項４】
前記軸受部材の一部に外れ防止片が延設され、該外れ防止片に外れ防止ボルトをねじ込むためのねじ孔が穿設され、該軸受部材の軸受部の軸受孔と前記第二部材の軸保持部のピンを嵌合させて、前記第一部材と該第二部材を組み付けた状態で、該外れ防止ボルトを該ねじ孔にねじ込むことを特徴とする請求項３記載の蝶番。
【発明の詳細な説明】
【技術分野】
【０００１】
本発明は、扉を本体に対し開閉自在に支持する着脱形（ピンを軸受孔に着脱可能に挿入する形式）の蝶番に関する。
【背景技術】
【０００２】
従来、例えばスロットマシンの扉を開閉自在に支持する蝶番として、固定部材と可動部材とからなり、固定部材の取付板部の縁部に軸受部が設けられ、可動部材の巻付部にピンが下方に突出して固定され、そのピンを固定部材側の軸受孔に挿入して組み付ける構造の着脱形の蝶番が知られている。この蝶番は、通常、ゲーム機の形状が大きいこともあって、本体と前扉間の上部と下部の２箇所に取り付けられる。
【０００３】
スロットマシンの扉の開閉を円滑にするためには、その本体と前扉間に装着される２個の蝶番の回転軸の軸心位置を正確に合わせて取り付ける必要がある。従って、上記のように２個の蝶番を本体と前扉間に取り付ける場合、本体側に２個の固定部材をその軸受部の軸心位置を合わせて固定すると共に、前扉側の対応位置に２個の可動部材をそのピンの軸心位置を正確に合わせて、固定しなければならず、蝶番の取付け作業が難しく煩雑で、多くの時間や工数を必要とする問題があった。
【特許文献１】特開２００３−１１３６８９号公報
【発明の開示】
【発明が解決しようとする課題】
【０００４】
そこで、本発明者らは、上記特許文献１などにおいて、縦長の固定部材と可動部材とからなる蝶番であって、可動部材の基枠体における上端と下端の近傍に、各々軸受孔を持つ軸受部が軸心位置を１本の軸線上に一致させて設けられ、固定部材の取付板部における上下端の近傍に形成した巻付部に、各々ピンが軸心位置を１本の軸線上に一致させ且つ上方に突出して固定され、可動部材の上下１対の軸受部を、固定部材の各ピンに嵌合させて組み付けるようにした蝶番を提案した。
【０００５】
この蝶番は、縦長の固定部材の上下端の近傍にピンを上下方向の軸線と同一軸線上に設け、同様の縦長の可動部材の上下端近傍に軸受孔を有した軸受部を同一軸線上に取り付けて構成されるため、固定部材をスロットマシンの本体に固定し、可動部材をその前扉に固定した状態で、前扉を本体に装着するようにして蝶番の可動部材を固定部材に対し位置決めして、容易に組み付けることができる。
【０００６】
しかし、スロットマシンなどゲーム機の前扉の縦辺の長さは、約８０ｃｍと長く、前扉の縦辺に取り付けられるこの種蝶番の固定部材及び可動部材の長さも同様に長く形成される。このため、蝶番を組付けた使用状態では、固定部材と可動部材の上下端近傍つまりキャビネットと前扉間の上下端近傍においては、ピンと軸受部が回動可能に嵌合して組み付けられ、固定部材と可動部材間のピン軸支部分は強固に連結されるものの、上下のピンとピンの間、上下の軸受部と軸受部の間は、上記ゲーム機の場合、約７０ｃｍと長くあき、その中央部近傍を含む長尺部分が連結されない。
【０００７】
つまり、この種蝶番を使用して前扉を開閉可能に取り付けたゲーム機では、蝶番の上下端近傍はピンと軸受部の嵌合により強固に連結されるが、上下の中央部付近を含む約７０ｃｍの縦辺中間部分において、前扉はキャビネットに対し単に重ね合わされているのみとなってしまう。
【０００８】
このため、ゲーム機の不正解錠を目的として、ドライバなどの不正工具を、蝶番の上下の中央付近に生じた固定部材と可動部材の隙間に差し込み、強引に押し開こうとした場合、蝶番の固定部材と可動部材の中間部の隙間が押し開かれる虞があった。
【０００９】
本発明は、上記の点に鑑みてなされたもので、中央部近傍を押し開くような不正行為を防止することができる蝶番を提供することを目的とする。
【００１０】
上記目的を達成するための本発明の蝶番は、開閉可能な扉と本体間に取り付けられ、縦長の第一部材と第二部材とからなる着脱形の蝶番であって、第一部材の基枠体の上部と下部に、軸受部に軸受孔を有する軸受部材が軸受孔の軸心位置を１本の軸線上に一致させて固定され、第二部材の取付板部における上部と下部の縁部に、各々巻付部にピンを挿入・固定した軸保持部が軸心位置を１本の軸線上に一致させて設けられた蝶番において、第一部材の基枠体の上下縦方向の中点近傍に、軸受部に軸受孔を有する軸受部材が軸受孔の軸心位置を前記１本の軸線上に一致させて固定され、第二部材の取付板部における上下縦方向の中点近傍の縁部に、巻付部にピンを挿入・固定した軸保持部が軸心位置を前記１本の軸線上に一致させて設けられ、第一部材と第二部材が、１本の軸線上に配置された上部、下部及び中点近傍の３本のピンを、対応した前記各軸受部に嵌合させて組み付けられることを特徴とする。なお、ここで、中点近傍とは縦長の第一部材、第二部材における縦方向（上下方向）の中点及びその近傍を含む概念である。
【００１１】
この発明によれば、蝶番の第一部材と第二部材が上部、下部及び中点近傍の３本のピンを軸受部に嵌合させて組み付けられるので、蝶番を取り付けたゲーム機の前扉などの不正解錠を目的として、ドライバなどの不正工具を、蝶番の上下縦方向の中点付近を含む中間部の、第一部材と第二部材の隙間に差し込み、強引に押し開こうとしても、蝶番の中点近傍はピンと軸受部の嵌合により強固に連結され、隙間の押し開きを阻止して、不正行為を防止することができる。
【００１２】
ここで、上記第一部材の基枠体は横断面を略コ字状としたチャンネル材状に形成され、基枠体の上部、下部及び中点近傍の底壁の定位置に開口部を形成し、軸受部に軸受孔を有する軸受部材を、該開口部に嵌め込むように固定することができる。
【００１３】
この発明によれば、軸受部材を基枠体の定位置に、プレスかしめ加工などを用いて、効率良く正確に嵌着することができる。
【００１４】
また、上記軸受部材は、帯状の金属板を直角に曲折して該底壁に直角な軸受部を形成し、該軸受部に軸受孔を該基枠体の一方の側壁側に偏倚して設けることができる。
【００１５】
この発明によれば、例えば可動側の軸受部材の軸受孔を、固定側の軸保持部のピンに合わせようとする際、基枠体の一方の側壁をガイド部として、軸保持部の巻付部をその側壁に当てながらピンと軸受孔の軸線位置に合わせるように、例えば可動側の軸受部の軸受孔を固定側のピンに容易に嵌入し、蝶番を組み付けることができる。また、特別のガイド部を設ける必要がなく、軸受部材などの構造を簡単化することができる。
【００１６】
さらに、軸受部材の一部に外れ防止片を延設し、その外れ防止片に外れ防止ボルトをねじ込むためのねじ孔を設け、軸受部材の軸受部の軸受孔とピンを嵌合させて第一部材と第二部材を組み付けた状態で、外れ防止ボルトをそのねじ孔にねじ込むことができる。
【００１７】
この発明によれば、第一部材の軸受部材の軸受孔と第二部材のピンを嵌合させた蝶番の組付状態で、外れ防止ボルトを外れ防止片のねじ孔にねじ込めば、外れ防止ボルトの先端がピンの末端に当接し、ピンまたは軸受部材が相互に外れる側に移動することは不可能となり、不正に蝶番の第一部材と第二部材の連結が外されることを防止できる。
【００１８】
このように構成された蝶番は、第一部材を扉に可動部材として固定し、第二部材を本体に固定部材として固定するか、或はその逆に、第二部材を扉に可動部材として固定し、第一部材を本体に固定部材として固定して使用する。また、例えば、蝶番の第一部材を扉に可動部材として固定し、第二部材を本体に固定部材として固定した場合、第二部材の巻付部に設けたピンは上向きに固定される。逆に、蝶番の第二部材を扉に可動部材として固定し、第一部材を本体に固定部材として固定した場合、第二部材の巻付部に設けたピンは下向きに固定される。
【００１９】
例えば、蝶番の第一部材を扉に可動部材として固定し、第二部材を本体に固定部材として固定した場合、扉を持って可動側の上部、下部及び中点近傍の軸受部材の軸受孔を、固定側の各軸保持部の上部と下部及び中点近傍のピンに合わせ、３個の軸受孔の軸線と３本のピンの軸線を一致させる。その状態で可動側の軸受部材の位置を少し下げるだけで、固定側の軸保持部のピンを可動側の軸受部材の軸受孔に容易に嵌入し、蝶番を組み付けることができる。
【発明の効果】
【００２０】
本発明の蝶番によれば、蝶番の第一部材と第二部材が上部、下部及び中点近傍の３本のピンを、対応した各軸受部に嵌合させて組み付けられるので、蝶番の上下縦方向の中点付近を含む中間部の、第一部材と第二部材の隙間に不正工具を差し込み、強引に押し開こうとしても、蝶番の中間部はピンと軸受部の嵌合により強固に連結され、隙間の押し開きを阻止して、不正行為を防止することができる。
【発明を実施するための最良の形態】
【００２１】
以下、本発明の実施の形態を図面に基づいて説明する。図１は蝶番の可動部材１の正面図を示し、図２はその右側面図を示している。可動部材１は、金属板を横断面略コ字状に曲折してチャンネル状に形成された縦長の基枠体２を有し、その基枠体２内の底壁２ｄの上部、下部及び上下縦方向の中点近傍に、開口部２ａ，２ｂ，２ｃが形成され、各開口部２ａ，２ｂ，２ｃに嵌め込むように、軸受孔３ｂ，４ｂ、５ｂと外れ防止片３ｃ，４ｃ，５ｃを有した軸受部材３、４、５が、プレスかしめ加工などにより固定されて構成される。
【００２２】
図１に示すように、基枠体２の上端ＵＥから下端ＢＥまでの長さはＬ１とされ、その上端ＵＥからＬ１／１０の距離の下方位置Ｐ１に、開口部２ａが形成され、図７に示すように、その開口部２ａに軸受部材３が取り付けられる。また、その下端ＢＥからＬ１／１０の距離の上方位置Ｐ２に、開口部２ｂが形成され、その開口部２ｂに軸受部材４が取り付けられる。
【００２３】
さらに、長さＬ１の基枠体２における上下縦方向の中点Ｃを含む中点近傍に、開口部２ｃが形成され、その開口部２ｃに軸受部材５が取り付けられる。この基枠体２の中点Ｃは、長さＬ１の基枠体２における上下縦方向の線分の中点であり、上部の開口部２ａの位置であるＰ１と下部の開口部２ｂの位置であるＰ２の中点でもある。なお、位置Ｐ１と位置Ｐ２は、後述の固定部材１１の各ピン１６，１７，１８の下部に対応した位置であり、必ずしも開口部２ａ、２ｂの中央を示すものではないが、開口部２ａ，２ｂの上下位置を特定している。
【００２４】
軸受部材３，４，５は、図５、図７，図８に示すように、帯状の金属板を断面コ字状部分を含む形状に曲折して形成され、上記基枠体２の底壁２ｄに設けた矩形の開口部２ａ，２ｂ，２ｃに密に嵌合可能な形状となっている。また、軸受部材３，４，５は各々が相互に同一形状に形成され、さらに、軸受部材３，４，５には、基枠体２の底壁２ｄと直角な軸受面（水平面）を有した軸受部３ａ，４ａ，５ａが形成され、この軸受部３ａ，４ａ，５ａの軸受面（水平面）には、図５に示すように、各々軸受孔３ｂ、４ｂ、５ｂが基枠体２の一方の側壁側に偏倚して設けられる。
【００２５】
この軸受部３ａ，４ａ，５ａの軸受孔３ｂ，４ｂ、５ｂの軸心位置は、１本の縦方向の軸線と一致するように形成されている。また、図８に示すように、軸受部材３，４，５における軸受部３ａ，４ａ，５ａの下方には、後述の固定部材１１のピン１５，１６，１７を挿入するための空間が形成され、この空間の側部に、外れ防止片３ｃ、４ｃ、５ｃが軸受部材３，４，５の一部として延設されている。外れ防止片３ｃ、４ｃ、５ｃにはねじ孔３ｄ、４ｄ、５ｄが形成され、蝶番を組み付けた状態で、外れ防止ボルト３ｅ，４ｅ，５ｅを外側からねじ孔３ｄ、４ｄ、５ｄにねじ込み、空間に挿入された固定部材のピン１５，１６，１７の末端を押さえて、可動部材１の固定部材１１からの外れを防止するものである。
【００２６】
このような軸受部材３，４、５は、基枠体２内の底壁２ｄの上部、下部及び中点近傍の所定位置に形成された開口部２ａ，２ｂ，２ｃに嵌め込まれ、プレスかしめ加工、リベット止め、溶接などにより固定される。軸受部材３，４、５は、各々全く同じ形状に形成され、一枚の金属板をプレス加工して少ない加工工数で簡単に形成でき、プレスかしめ加工を用いて、低コストで製造することができる。また、軸受部材３，４、５は、各開口部２ａ，２ｂ，２ｃに嵌め込まれるように位置決めされてプレスかしめ加工するため、正確に位置決めして効率よく固定することができる。
【００２７】
図３、図４に示すように、固定部材１１は、縦長で帯状の鋼板からなる取付板部１２を有し、その取付板部１２の側部に延設されたコ字状断面部１２ａとを基部とし、コ字状断面部１２ａの側部の上部、下部及び上下縦方向の中点近傍に、軸保持部１３、１４、１５を延設して形成される。取付板部１２の適所には複数の取付孔が設けられる。軸保持部１３、１４、１５は、先端に巻付部１３ａ，１４ａ，１５ａを前方に突出するように設け、その巻付部１３ａ，１４ａ，１５ａにピン１６，１７，１８を各々上向きに嵌挿・固定している。
【００２８】
図３に示すように、取付板部１２の上端ＵＥから下端ＢＥまでの長さは、上記可動部材１の基枠体２とほぼ同じ長さのＬ１とされ、その上端ＵＥからＬ１／１０の距離の下方位置Ｐ１に、軸保持部１３が設けられ、図９に示すように、その軸保持部１３にピン１６が取り付けられる。また、その下端ＢＥからＬ１／１０の距離の上方位置Ｐ２に、軸保持部１５が形成され、その軸保持部１５にピン１８が取り付けられる。
【００２９】
さらに、長さＬ１の取付板部１２における上下縦方向の中点Ｃを含む中点近傍に、軸保持部１４が形成され、その軸保持部１４にピン１７が取り付けられる。この取付板部１２の中点Ｃは、長さＬ１の取付板部１２における上下縦方向の線分の中点であり、上部の軸保持部１３の位置であるＰ１と下部の軸保持部１５の位置であるＰ２の中点でもある。なお、位置Ｐ１と位置Ｐ２はピン１６，１８の下部の位置であり、必ずしも軸保持部１３，１５の中央を示すものではないが、軸保持部１３，１５の位置を特定している。
【００３０】
巻付部１３ａ，１４ａ，１５ａは筒状に成形され、内側に頭部付きのピン１６，１７，１８を、その頭部を下にして巻付部に圧入し或は巻付部を締付け、ピン１６，１７，１８を巻付部１３ａ，１４ａ，１５ａに、その尖頭部を上方に突出した状態で固定する。上部、下部及び中点位置のピン１６，１７，１８は、その軸が取付板部１２の長手方向に沿った１本の軸線上を通るように、軸心位置を合わせて取り付けられる。固定部材１１は取付板部１２に設けたコ字状断面部１２ａによって高い曲げ強度が確保され、各ピン１６，１７，１８の軸心位置のずれを防止している。このように、上部、下部及び中点近傍のピン１６，１７，１８は、上記可動部材１の軸受部材３、４、５の軸受孔３ｂ、４ｂ、５ｂに対応した位置、つまりその軸受孔の軸心位置を合わせた所定位置に取り付けられる。
【００３１】
このように構成された蝶番は、図１１、図１２に示すように、その固定部材１１がゲーム機の本体（キャビネット）２０側に、取付板部１２の取付孔に取付ねじを挿入し締め付けて固定され、その可動部材１がゲーム機の前扉２１側の固定部材１１と対応した位置に、その基枠体２を取付ねじにより締め付けて取り付けられる。固定部材１１は、本体２０の開口部の縦辺の長さと略同じ長さに形成され、本体２０の内側縦辺の略全体に渡って取り付けられる。また、可動部材１は前扉２１の内側縦辺の長さと略同じ長さに形成され、前扉２１の内側縦辺の縁部に取り付けられる。
【００３２】
そして、前扉２１を開いた状態で、蝶番の可動部材１の上部、下部及び中点近傍の軸受部３ａ、４ａ，５ａを、固定部材１１の上部、下部及び中点近傍の各ピン１６，１７，１８に嵌合して、前扉２１を本体２０に対し装着する。この際、前扉２１を持って先ず３つの軸受部材３、４、５を各々、固定部材１１側の軸保持部１３、１４、１５に合わせ、図１０の(ａ)から(ｂ)ように、軸受部材３、４、５の下側空間の底壁と一方の側壁を、固定部材１１側の軸保持部１３、１４、１５の巻付部１３ａ，１４ａ，１５ａに当てるように、前扉２１を動かす。
【００３３】
このとき、各軸受部材３、４、５の下側空間の底壁または一方の側壁が、各巻付部１３ａ，１４ａ，１５ａに触れてガイドされ、巻付部１３ａ，１４ａ，１５ａつまりピン１６，１７，１８はほぼ、軸受孔３ｂ，４ｂ、５ｂの軸線位置に到達する。
【００３４】
従って、この状態で、図１０（ｂ）のように、前扉２１の位置を少し下げれば、自動的に３本のピン１６、１７，１８が各軸受孔３ｂ，４ｂ、５ｂ内に進入し、嵌め込まれる。この後、図１０のように、軸受部材３，４，５の外し防止片３ｃ、４ｃ、５ｃの何れかに、外れ防止ボルト３ｅまたは４ｅをねじ孔３ｄまたは４ｄにねじ込み、外れ防止ボルト３ｅ，４ｅの先端でピン１６または１７の末端を押えるようにする。これにより、固定部材１１のピン１６，１７，１８と、軸受部材３、４、５の軸受孔３ｂ，４ｂ、５ｂは相互に脱着を阻止した状態で嵌合され、蝶番の可動部材１と固定部材１１の組付を完了する。
【００３５】
このように、この蝶番の固定部材１１と可動部材１の組み付け作業は、可動部材１の各軸受部材３，４，５の軸受孔３ｂ、４ｂ、５ｂの軸心を、固定部材１１の各軸保持部１３，１４，１５の各ピン１６，１７，１８に合わせるように、両位置を目視しながら、１本の軸線上の各ピン１６，１７，１８に軸受孔３ｂ、４ｂ、５ｂの軸線位置を合わせるため、非常に簡単に且つ短時間でピン１６、１７，１８を軸受孔３ｂ，４ｂ、５ｂにはめ込むことができ、蝶番の組み付けを迅速に完了することができる。このとき、巻付部１３ａ，１４ａ，１５ａは、ピンと比べて外径が太く、軸受部材３，４，５の側壁などに当て易いため、ピンを容易にガイドして軸線を合わせることができる。
【００３６】
さらに、蝶番の可動部材１と固定部材１１を組み付けた使用状態では、蝶番の可動部材１と固定部材１１が、上部、下部及び中点近傍の３本のピン１６，１７，１８を、対応した各軸受部３ａ，４ａ，５ａの軸受孔３ｂ、４ｂ、５ｂに嵌合しているので、蝶番の上下縦方向の中点付近を含む中間部における、可動部材１と固定部材１１の隙間に、不正工具を差し込み、強引に押し開こうとしても、蝶番の中間部はピン１７と軸受部材４の軸受部４ａの軸受孔４ｂの嵌合によって、強固に連結保持され、隙間の押し開きを阻止して、不正行為を防止することができる。
【００３７】
なお、本発明の蝶番は、上記実施形態に限定されるものではなく、以下のような態様でも実施することができる。
【００３８】
（１）上記では可動部材１側に軸受孔３ｂ，４ｂ、５ｂを有する軸受部材３、４、５を設け、固定部材１１側にピン１６，１７，１８を有する軸保持部１３、１４、１５を設けたが、反対に、固定部材側に軸受孔を有する軸受部材を固定し、可動部材側にピンを有する軸保持部を固定してもよく、その場合、可動部材側のピンは下向きに取り付けられる。
【００３９】
（２）上記では固定部材１１のピン１６，１７，１８を保持する軸保持部１３，１４、１５の巻付部１３ａ，１４ａ，１５ａは、取付板部１２から延設された部分をそのまま円筒形に巻いて一体に形成したが、巻付部を含む軸保持部を別個に形成し、所定の位置にかしめや溶接で固定することもできる。
【図面の簡単な説明】
【００４０】
【図１】本発明の蝶番の一実施形態を示し、蝶番の可動部材１の正面図である。
【図２】同可動部材１の右側面図である。
【図３】固定部材の左側面図である。
【図４】固定部材の正面図である。
【図５】可動部材の拡大平面図である。
【図６】固定部材の拡大平面図である。
【図７】（ａ）は軸受部材３を基枠体２の開口部２ａに取着する際の部分拡大正面図、（ｂ）は取着した状態の部分拡大正面図である。
【図８】（ａ）は軸受部材３を基枠体２の開口部２ａに取着する際の部分拡大断面図、（ｂ）は取着した状態の部分拡大断面図である。
【図９】本体２０に取り付けた固定部材の斜視図である。
【図１０】（ａ）は固定部材のピンに可動部材の軸受部を嵌め込む際の正面説明図、（ｂ）はピンに軸受部を嵌め込んだ状態の正面説明図である。
【図１１】前扉２１を閉じた使用状態を示す断面説明図である。
【図１２】前扉２１を開いた使用状態を示す断面説明図である。
【符号の説明】
【００４１】
１      可動部材
２      基枠体
２ａ    開口部
２ｂ    開口部
２ｃ    開口部
２ｄ    底壁
３      軸受部材
３ａ    軸受部
３ｂ    軸受孔
４      軸受部材
４ａ    軸受部
４ｂ    軸受孔
５      軸受部材
５ａ    軸受部
５ｂ    軸受孔
１１    固定部材
１２    取付板部
１２ａ  コ字状断面部
１３    軸保持部
１３ａ  巻付部
１４    軸保持部
１４ａ  巻付部
１５    軸保持部
１５ａ  巻付部
１６    ピン
１７    ピン
１８    ピン
２０    本体
２１    前扉
【図１】
2009281101.tif 000003
【図２】
2009281101.tif 000004
【図３】
2009281101.tif 000005
【図４】
2009281101.tif 000006
【図５】
2009281101.tif 000007
【図６】
2009281101.tif 000008
【図７】
2009281101.tif 000009
【図８】
2009281101.tif 000010
【図９】
2009281101.tif 000011
【図１０】
2009281101.tif 000012
【図１１】
2009281101.tif 000013
【図１２】
2009281101.tif 000014